(57)【特許請求の範囲】
【請求項１】
貸金庫を借用する利用者の認証を借用の対象者すべての指紋情報との比較による指紋照合により行い、利用者の指紋の登録がされていて且つ貸金庫の借用の開始以降の期間において使用料金がすべて支払われている場合には貸金庫室入出ドアを開いて利用者を入室させ、貸金庫室内に設けられた個人用貸金庫の利用者であるか否かの確認を借用の対象者すべての指紋情報との比較による指紋照合により行い、指紋照合が一致し且つ貸金庫の借用の開始以降の期間において使用料金がすべて支払われている場合には個人用貸金庫を解錠することを特徴とする指紋照合を用いた貸金庫管理システム。
【請求項２】
貸金庫の利用者毎に当該利用者の利用者識別子と指紋の情報とを対応づけて登録する指紋登録データベースと、前記貸金庫の利用者毎に当該利用者の利用者識別子と当該利用者が借用している貸金庫の使用料の支払い状況の情報とを対応づけて登録する支払い状況データベースと、利用者から採取した指紋の情報が前記指紋登録データベースに登録されているか判定し、登録されている場合には当該指紋の情報に対応づけて当該指紋登録データベースに登録されている利用者識別子を検出する指紋比較装置と、前記指紋比較装置が検出した利用者識別子が前記支払い状況データベースに登録されているか判定し、登録されている場合には当該利用者識別子に対応づけて当該支払い状況データベースに登録されている支払い状況の情報が借用開始以降の期間においてすべて支払い済みであることを示しているか判定し、支払い済みである場合には貸金庫室を解錠する貸金庫制御装置と、前記指紋比較装置が検出した利用者識別子が前記支払い状況データベースに登録されているか判定し、登録されている場合には当該利用者識別子に対応づけて当該支払い状況データベースに登録されている支払い状況の情報が借用開始以降の期間においてすべて支払い済みであることを示しているか判定し、支払い済みである場合には個人用貸金庫を解錠する個人金庫制御装置と、を備えたことを特徴とする貸金庫管理システム。
【発明の詳細な説明】
【０００１】
【発明の属する技術分野】
本発明は、金融機関の開設する貸金庫室への入室するための操作やや貸金庫室内の個人金庫の解錠操作に関し、特に入室や解錠に必要な磁気カードや鍵の携帯を不要にし入室や解錠時の認証操作を指紋に統一した指紋照合を用いた貸金庫管理システムに関する。
【０００２】
【従来の技術】
金融機関等の顧客である利用者への貸金庫の貸し出し形態は  年決めの契約での使用が一般的に多く、金融機関は  貸金庫室への入室の認証に使用する磁気カード及び個人金庫の解錠に使用する鍵を発行して顧客に渡し、利用させている場合が多い。利用者は、図１０に示すようにある期間毎（例えば１年毎）に金融機関に契約に行き、貸金庫の借用の料金を支払い、貸金庫室への入室の為のカード（磁気カード）と個人金庫の解錠のための鍵を発行してもらう必要があった。
【０００３】
図９は  利用者が金融機関の貸金庫を利用する場合の従来の構成図である。
【０００４】
従来において、金融機関の開設する貸金庫室に入室する場合、金融機関との貸金庫の借用契約時、金融機関から発行された磁気カードを使用し、金融機関のカード読み取り装置に通し認証を受ける。一致すれば  貸金庫室に設けられた開閉ドアが開く。さらに、貸金庫室内に入ると、個人金庫室に入るため再び磁気カードで認証を受け、個人金庫室に入室すると、個人金庫を鍵にてあけるようになっている。
【０００５】
図１１は、従来の契約時に発行された磁気カードの例である。磁気カードには登録ＮＯと契約期間が磁気領域に記憶されている。
【０００６】
図９は  従来の構成図である。開閉ドア１、電子錠２、預け入れ者（利用者）３、貸金庫制御装置５、カード読み取り＆比較装置６１、磁気カード６２からなっている。
【０００７】
図１０は  従来の構成図で、預け入れ者（利用者）３、金融機関１５、磁気カード６２、鍵７１、鍵＆磁気カード発行人７２からなっている。
【０００８】
図１１は、従来の磁気カードの例である。管理用磁気カード６２、磁気による登録ＮＯ８１、磁気による契約期間８２からなっている。
【０００９】
【発明が解決しようとする課題】
しかし、これらの利用者が貸金庫の個人金庫２１に保管する保管物は、権利書等の重要書類、指輪やネックレス等の宝石類等の貴重品であるため、日常的に使用するものではなく一般には使用頻度が少ないせいもあり、発行された登録カードや鍵の紛失等が発生しやすいという問題点があった。
【００１０】
また  発行された磁気カードと鍵を携帯すれば誰でも操作できるので、特に家族間で許可なしで使用する場合が発生しやすく問題化する事もあった。
【００１１】
さらに、磁気カードや鍵また暗証番号の入力が必要であり、入室や個人金庫２１を解錠するまでの操作が複雑であり特に老人には敬遠されがちであった。
【００１２】
本発明は、貸金庫室への入室から個人金庫の解錠までの操作を、個人の指紋の入力操作に統一することで、セキュリティの確保を行うと同時に上記問題点の解決を図るものである。
【００１３】
【課題を解決するための手段】
本発明の第１の指紋照合を用いた貸金庫管理システムは、金融機関の貸金庫を借用する利用者の認証を借用の対象者すべての指紋情報との比較による指紋照合により行い、利用者の指紋の登録がされていて且つ利用する期間までの貸金庫使用料金が支払われていると貸金庫室入出ドアを開いて利用者を入室させ、貸金庫室内に設けられた個人用貸金庫の利用者であるか否かの確認を借用の対象者すべての指紋情報との比較による指紋照合により行い、指紋照合が一致し利用者の利用する期間の貸金庫使用料金が支払われていると個人用貸金庫を解錠することを備える。
【００１４】
本発明の第２の指紋照合を用いた貸金庫管理システムは、貸金庫室への入室から貸金庫室内の利用者が借用する個人用貸金庫の解錠までの一連の利用者の認証処理において、利用者から採取した指紋と登録済み指紋との照合を借用の対象者すべての指紋情報と比較して行い一致の確認がとれ、且つ貸金庫使用料金の利用者による支払い済みの確認がとれると、貸金庫の利用を許可することを備える。
【００１５】
本発明の第３の指紋照合を用いた貸金庫管理システムは、貸金庫室への入室時から貸金庫室内の利用者が借用する個人用貸金庫の解錠時までの一連の利用者の認証処理において、前記入室時や前記解錠時を含む認証処理について、利用者の任意の１本以上の指の指紋情報を各認証処理時点に対応して登録した指紋登録データベースと、利用者からの貸金庫使用料金の現在までの支払い状況を登録した支払い状況データベースと、前記指紋登録データベースと前記支払い状況データベースとを元に貸金庫の使用の可否を借用の対象者すべての指紋情報との比較によって判断する貸金庫制御装置乃至個人金庫制御装置と、を備える。
【００１６】
本発明の第４の指紋照合を用いた貸金庫管理システムは、第３の発明において、前記入室時や前記解錠時を含む各認証処理に対して任意の１本以上の指の指紋を登録する指紋登録データベースを備える。
【００１７】
本発明の第５の指紋照合を用いた貸金庫管理システムは、第２の発明において、複数の個人用貸金庫を借用する利用者の個人用貸金庫の解錠処理において、一時点では一つの個人用貸金庫の解錠操作しか行わない個人金庫制御装置を備える。
【００１８】
本発明の第６の指紋照合を用いた貸金庫管理システムは、第２の発明において、複数の個人用貸金庫を借用する利用者の貸金庫室への入室時の認証処理において、１つ以上の個人用貸金庫についての借用費用の支払いが行われていれば貸金庫室入出ドアを開く貸金庫制御装置を備える。
【００１９】
本発明の第７の指紋照合を用いた貸金庫管理システムは、金融機関の貸金庫を借用する利用者の認証を指紋照合により行い、貸金庫室入出ドアと個人用貸金庫とに指紋読み取り装置を備える貸金庫管理システムであって、第１の利用者と第２の利用者が同じ貸金庫を借用する時、第１の利用者と第２の利用者の順序でそれぞれの利用者の指紋を予め登録し、第１の利用者の指紋照合に一致すると貸金庫室入出ドアを開き、第２の利用者の指紋照合に一致すると個人用貸金庫の解錠を行うことを備える。
【００２０】
【発明の実施の形態】
次に、本発明の指紋照合を用いた貸金庫管理システムの実施の形態について図面を参照して詳細に説明する。
【００２１】
図１は、本発明の金融機関１５等に設けられた貸金庫への出入り口の構成を示す図である。図２は、図１で示す貸金庫の出入り口を入室した利用者がアクセスする個別の個人金庫２１の構成を示す図である。
【００２２】
最初に図１において、利用者の貸金庫へ出入りする開閉ドア１と、開閉ドア１を開閉する錠を持つ電子錠２と、貸金庫への預け入れを行う利用者３と、指紋読み取り装置４と、開閉ドア１の電子錠２に開閉を指示する貸金庫制御装置５と、貸金庫の利用者３の指紋データ等を登録した指紋登録データベースであるＤＢ６と、指紋読み取り装置４から入力された指紋の照合を行う第１指紋比較器７と、利用者３からの個人金庫の使用料金の払い込み済みか否かの状況を例えば月ごとに示す支払い状況データベースであるＤＢ８と、利用者３が金融機関１５に開設し貸金庫の使用料金の支払いを行う口座９と、個人金庫２１の指紋読み取り装置２３から入力された指紋の比較を行う第２指紋比較器１０と、ＤＢ６とＤＢ８の初期データを入力する指紋／データ登録装置１１と、音声によって利用者３に貸金庫室への入室操作についての状況の説明を行うスピーカ１３と、ホストコンピュータ１４と、金融機関１５と、から構成されている。ホストコンピュータ１４は、ワークステーションや汎用コンピュータ等からなり、指紋読み取り装置４〜スピーカ１３は、ホストコンピュータ１４上で動作したり接続されているものとする。
【００２３】
図２は、貸金庫室内にある個人金庫保管場所の構成を示したものである。個人金庫保管場所は、利用者３と、複数個設けられ個人の保有する貴重品を保管する個人金庫２１と、個人金庫２１にそれぞれ設けられ個人金庫２１を開閉する錠をもつ個人金庫電子錠２２と，指紋読み取り装置２３と、指定した個人金庫電子錠２２の開閉を指示する個人金庫制御装置２４と、スピーカ２５と、個人金庫制御装置２４とホストコンピュータ１４とを接続するイーサネット等のライン２６と、から構成されている。
【００２４】
尚、個人金庫制御装置２４は、パーソナルコンピュータ等からなり、個人金庫電子錠２２と、指紋読み取り装置２３と、スピーカ２５と、個人金庫制御装置２４からの制御をうける。
【００２５】
図３は、本発明の動作を説明するフローチャートであり  金融機関１５の開設する個人用貸金庫の借用の手続きから借用した貸金庫への入室までのフローを示している。
【００２６】
図４は、本発明の動作を説明するフローチャートであり  貸金庫内の借用した個人金庫２１を開け必要な作業をした後、貸金庫から退場するまでのフローを示している。
【００２７】
図５は、利用者３の借用中の個人金庫２１への使用料の支払い状況を管理するデータベースであるＤＢ８のデータの例である。図５によれば、利用者３を一意に識別する利用者識別子５１と、個人金庫２１を一意に識別する識別番号を表す個人金庫ＮＯ５２と、個人金庫２１を借用する契約期間５３と、金融機関１５の持ついくつかの支店に個人金庫２１の設置場所がある時、その設置場所を識別する使用場所５４と、利用者３からの使用料金の支払い状況を表す使用料支払状況５５と、から構成されている。
【００２８】
尚、同じ利用者３が複数の個人金庫２１を借りている場合は、借りているすべての個人金庫２１についてそれぞれの独立したレコードが存在する。また、以下の説明では、利用者３の口座９から使用料金の金融機関１５への振り込みは、月末に翌月分の振り込みを行う形態をとっているものとする。
【００２９】
さらに、ホストコンピュータ１４または金融機関１５の他のコンピュータで管理される利用者３の口座９からは、例えば月末に金融機関１５への貸金庫の使用料が振り込まれるが、このとき、ホストコンピュータ１４の貸金庫制御装置５にこれが通知される。貸金庫制御装置５はこれを受けると、ＤＢ８の当該利用者３のレコードの使用料支払状況５５に翌月分の使用料の支払いが行われた旨を反映する。
【００３０】
図６は、利用者３の指紋情報の登録されたデータベースであるＤＢ６のデータの例である。図６によれば、貸金庫の契約時に、最初に登録された指の第１指紋情報４１と、２回目に登録された指の第２指紋情報４２と、登録した利用者３の氏名等の利用者３を一意に識別する利用者識別子５１と、から構成される。
【００３１】
同じ会社を経営する仲間や夫婦等の相互に同意した複数人によって同じ１以上の個人金庫２１を借りている場合は、まず、複数人のうちから一人の代表者を設定する。金融機関１５にはこの代表者によって利用の手続きを行う。利用者識別子５１や口座９はこの代表者のものとなる。金融機関１５との貸金庫の契約時、夫婦が同一の個人金庫２１を共有して借りる場合の指紋の登録は、例えば夫の任意の指の指紋を第一指紋情報４１として登録し、続いて妻の任意の指の指紋を第２指紋情報４２として登録することができる。
【００３２】
次に、本発明の実施の形態の動作について図面を参照して説明する。
【００３３】
貸金庫の入り口に設けられた指紋読み取り装置４から入力された利用者３の指紋データと当該利用者３が貸金庫の借用の契約時に登録したＤＢ６の第１指紋情報４１とが第１指紋比較器７により比較され、一致すると開閉ドア１が開き、利用者３は貸金庫室に入室することができる。
【００３４】
入室できる条件としては  ＤＢ６に指紋登録がされていて一致すること及び利用者３の金融機関１５に保有する口座９から個人金庫２１を借用する料金が、振り込み又は自動振り込みされていることが必要である。
【００３５】
図２は、貸金庫室内の個人金庫保管場所の構成例である。貸金庫室に入室した利用者３は  自分の借用する金庫（個人金庫２１）をあけるために登録された指を個人金庫制御装置２４の指紋読み取り装置２３にあてる。そのデータはホストコンピュータ１４の第２指紋比較器１５に送られ比較される。一致すると個人金庫制御装置２４に一致した旨の信号が送られ、個人金庫制御装置２４は個人金庫２１の持つ個人金庫電子錠２２に解錠を指示し、錠がはずされ個人金庫２１が開く。
【００３６】
次に図３と図４のフローチャートを用いて  詳細に説明する。
【００３７】
図３は、本発明の金融機関１５との貸金庫の借用契約から借用した貸金庫室への入室までのフローである。
【００３８】
まず、利用者３は、貸金庫を借りたいか判断する（ステップＳ３１）。利用者３が借りたいと判断すると、金融機関１５と貸金庫の借用契約を取り結び、利用者３の持つ口座９から金融機関１５への借用費用の支払いについての自動振り込み手続きをする（ステップＳ３２）。
【００３９】
次に金融機関１５は、利用者３の指紋を採取してホストコンピュータ１４のＤＢ６に登録し、氏名等の利用者３を識別する利用者識別子５１等の必要項目をＤＢ８に登録する（ステップＳ３３）。指紋の登録は、同じ指の指紋を１度だけ登録してもよいし、例えば、最初は左手の親指、次は右手の小指という順序で異なる指の指紋を２回登録してもよい。ここで登録された指紋は、ＤＢ６の第１指紋情報４１と第２指紋情報４２として登録される。指紋の登録を１度しか行わない場合は、同じ指紋が第１指紋情報４１と第２指紋情報４２として登録される。この時、ＤＢ６には当該利用者３の利用者識別子５１が書き込まれ、指紋情報と併せて１つのレコードが構成される。
【００４０】
図５は  指紋／データ登録装置１１より各種データを登録した例である。当端末より指定した指の指紋データを取りデジタル化を行いその結果をＤＢ６に登録し、また利用者３を識別する利用者識別子５１や利用者３が借用する個人金庫２１を識別する個人金庫ＮＯ５２、利用者３が個人金庫２１を借用する期間を表した契約期間５３、個人金庫２１を借用する利用者３からの使用料の払い込み状態を表す使用料支払状況５５等を、金融機関１５の担当者は入力しＤＢ８に登録をする。これで貸金庫の借用契約が金融機関１５と利用者３の間で成立する（ステップＳ３４）。
【００４１】
次に、利用者３が、借用した貸金庫のある金融機関１５に行った時、利用者３の個人金庫２１内に対し貴重品の保管や、取り出し等のアクセスをしたいか判断する（ステップＳ３５）。
【００４２】
利用者３が貸金庫へのアクセスを行いたい場合は、金融機関１５との貸金庫の借用契約時に指紋の登録をした時の最初の指を指紋読み取り装置４に当てる（ステップＳ３６）。１本しか登録を行わなかった場合はその指となる。また、複数人で同じ個人金庫２１を共有して借りている場合には、最初に指紋の登録を行った利用者３の登録時の指を入力する。指紋読み取り装置４で読みとられた指紋は、ＤＢ６の当該貸金庫室内の個人金庫２１の借用の対象者のすべての第１指紋情報４１と、第１指紋比較器７により逐次比較される（ステップＳ３７）。
【００４３】
第１指紋比較器７は、ＤＢ６の第１指紋情報４１について、指紋レコード中に入力された指紋と一致するレコードを検出すると、当該レコードに同じく格納された利用者３を識別する利用者識別子５１を貸金庫制御装置５に通知する。貸金庫制御装置５は、通知を受けた利用者識別子５１をキーとしてＤＢ８をサーチする。そして検出したレコードの使用料支払状況５５をみて、借用の開始から現在までの該当期間における利用者３の口座９からの使用料が払い込み済みかどうかをチェックする（ステップＳ３８）。使用料の払い込みが行われていることを確認すると、貸金庫制御装置５は、電子錠２に解錠の信号が送り、貸金庫室の開閉ドア１が開く（ステップＳ３９）。尚、当該利用者３が複数の個人金庫２１を借りている場合もあるのでＤＢ８のすべての当該利用者３のレコードを検索し、検出したレコードで利用者３からの支払いが行われているレコードに対し、個人金庫ＮＯ５２を取りだし記憶する。
【００４４】
（ステップＳ３７）における第１指紋比較器７の比較の結果、一致するレコードが検出できなかった場合は、貸金庫制御装置５にその旨が通知され貸金庫制御装置５からスピーカ１３を通じ”正しい指の指紋をもう一度入力して下さい”等の音声を流し利用者３に警告する。同じ操作を利用者３が３回行っても指紋が一致しない場合は”指紋の認証に失敗しました。担当者にご連絡下さい”等のメッセージを通知し貸金庫への入室を拒絶する。
【００４５】
（ステップＳ３８）のチェックで利用者３の口座９からの使用料が未払いの場合も同様に”ＸＸさま、利用料金が未払いです”等をスピーカに流して入室を拒絶する（ステップＳ４０）。尚、複数の個人金庫２１を借用する利用者３については、１つでも支払いが行われている個人金庫２１があれば貸金庫への入室を許可するものとする。
【００４６】
入室を許可された利用者３は、貸金庫室に入室する（ステップＳ４１）。このときスピーカ１３から”ＸＸさま、どうぞお入り下さい”の通知をするとよい。
【００４７】
以降は図４のフローチャートを使用して説明を行う。
【００４８】
個人金庫２１に到達した利用者３は、まず個人金庫２１を使用したいか判断する（ステップＳ４２）。次に金融機関１５との契約時に２番目に登録した指を指紋読み取り器２３に当てる（ステップＳ４３）。１度しか登録をしなかった場合はその指となる。また、複数人で同じ個人金庫２１を共有して借りている場合には、２番目に指紋の登録を行った利用者３の指を入力する。入力された指紋情報はライン２６を通してホストコンピュータ１４の第２指紋比較器１０に送信される。第２指紋比較器１０は、既に第１指紋比較器７で検出した当該利用者３の第１指紋情報４１の一致したレコードの中の第２指紋情報４２についてのみ比較を行ってもよいし（ステップＳ４４）、ＤＢ６に登録されたすべての第２指紋情報４２と比較してもよい。後者の比較時、第２指紋情報４２が一致するレコードを検出すると第１指紋情報４１の一致したレコードと同一かがさらに確認され、同一であれば照合が成功したものとする。
【００４９】
以上のような照合処理によって、第２指紋情報４２が一致すると第２指紋比較器１０は、貸金庫制御装置５に指紋の比較が一致したことを通知する。貸金庫制御装置５は、契約から今月までの該当期間について、当該する個人金庫２１の借用費用に滞納が発生していないかを前述したのと同様にチェックし（ステップＳ４５）、滞納がないことを確認するとライン２６を通して認証の成功したことと、ＤＢ８から取り込んだ当該利用者３の個人金庫ＮＯ５２とを個人金庫制御装置２４に通知する。個人金庫制御装置２４は、この通知を受けると個人金庫ＮＯ５２で指定された個人金庫２１の個人金庫電子錠２２に解錠の指示を行い個人金庫２１が開くことになる（ステップＳ４６）。
【００５０】
（ステップＳ４４）での第２指紋比較器１０による比較が一致しない場合や（ステップＳ４５）での滞納のチェックにおいて滞納していることを検出した場合、貸金庫制御装置５はその旨を個人金庫制御装置２４に通知する。その通知を受けた個人金庫制御装置２４は、個人金庫制御装置２４の持つスピーカ２５を通じ指紋の再入力を促す音声を流したり、”ＸＸさま、利用料金が未払いです”の音声を流して利用者３に通知する。３回の指紋の入力で不一致の場合や料金が未払いの場合、個人金庫２１の解錠は行わず、個人金庫制御装置２４は、それをホストコンピュータ１４に通知し、金融機関１５の担当者に連絡する。
【００５１】
個人金庫２１の解錠が成功した場合、利用者３は、個人金庫２１に対し必要な処理（預け入れ、引き出し補等）を行う（ステップＳ４８）。
【００５２】
尚、解錠の対象となる個人金庫２１は使用料金の滞納をしていない個人金庫２１となるが、利用者３が複数の解錠対象の個人金庫２１を持つ場合の解錠の処理を以下に説明する。貸金庫制御装置５は、ＤＢ８から当該利用者３が複数の解錠の対象となる個人金庫２１があることを認識すると、該当するすべての個人金庫ＮＯ５２を識別番号の小さいものから順番に個人金庫制御装置２４にライン２６を経由して送信する。これを受けた個人金庫制御装置２４は、受け取った最初の個人金庫ＮＯ５２に対応する個人金庫２１を解錠し、スピーカ２５に”ＸＸさま、番号ＮＮＮＮの個人金庫を解錠します”等のメッセージを流す。当該利用者３がＮＮＮＮの番号を持つ個人金庫２１の操作を終え金庫の扉を施錠すると個人金庫２１は再び、ロック状態に戻り、個人金庫電子錠２２はこれを個人金庫制御装置２４に通知する。この状態を認識した個人金庫制御装置２４は、次の解錠対象の個人金庫２１があれば、同じことを繰り返すことになる。個人金庫制御装置２４が複数の個人金庫２１の最後の個人金庫２１を解錠した場合は最後である旨をスピーカ２５を通じて利用者３に知らせるとよい。
【００５３】
利用者３の用が済めば、利用者３は、個人金庫２１を閉じる（ステップＳ５１）。これにより当該する個人金庫２１の個人金庫電子錠２２は、ロックされた状態となる。次にボタンを押し貸金庫室の開閉ドア１を貸金庫室内より開け、貸金庫室外へ出て開閉ドア１を閉じる（ステップＳ５２）。このときスピーカ１３から”ＸＸさま、ご利用頂きありがとうございました”の通知を行う。
【００５４】
以上の説明において、指紋照合による認証処理を開閉ドア１と個人金庫２１の二ヶ所で行う例を説明したが、金融機関１５がそれ以外の所でも認証する場合、同様な内容で拡張する事が可能である。
【００５５】
さらに、利用者３の借用する貸金庫を保有する金融機関１５と利用者３が使用料の払い込みに使用する口座を開設している金融機関１５とは、同じ金融機関１５であるとして説明したが、図７に示すようにネットワーク１６を介し利用者３が他の金融機関である信託銀行１７や信用金庫１８に開設した口座Ａや口座Ｂから貸金庫を保有する金融機関１５へ使用料の支払いを行う場合を表している。この場合のＤＢ８の構造は、図９に例示するように利用者３が口座９を開設する金融機関１５を識別する取引金融機関５６の項目を設けている。
【００５６】
また、使用料は、口座９からの自動振り込みに限らず、利用者３が金融機関１５に例えば月末に翌月分の支払いに出向くような形態で行っても構わない。金融機関１５の担当者は指紋／データ入力装置１１からＤＢ８の当該利用者３のレコードの使用料支払状況項目５５を更新することになる。さらに、利用者３は、毎月特定の金融機関１５から個人金庫２１を借りている金融機関１５に自動振り込むするのではなく、借用をする前年末に、契約料金（現金）を金融機関１５に持参し金融機関１５ではそれをＤＢ８内に登録し指紋照合のみで運用してもよい。
【００５７】
さらに、以上の説明においては、開閉ドア１の解錠に使用する指紋と個人金庫２１を解錠する指紋をそれぞれ同じ指紋でも別の指紋でもよいとしてそれぞれ１指紋ずつとしたが、これを１回の認証処理において、１以上の複数の指の指紋の登録によることもできる。具体的には、開閉ドア１を開ける時には、例えば右手の親指と右手の人差し指の順に入力し、個人金庫２１を開けるには、右手の小指と左手の中指と左手の薬指の順に入力しすべてが一致すると初めて解錠するようにすることも可能であり、指紋を登録するＤＢ６の登録指紋情報を拡張することで容易に実現できる。この場合、複数人で同じ個人金庫２１を借りる場合にも、複数人の指を任意に組み合わせて登録し、貸金庫の解錠時にも登録時と同じ順序で複数人の指紋の読み取りを行うことで、複数人による同じ個人金庫２１の共有した利用が可能となる。
【００５８】
【発明の効果】
第１の効果は、貸金庫室を利用する利用者の許可判断をすべて指紋によって行うため、磁気カードや鍵が不要となり、それらの紛失に煩わされるという問題をなくすことができる。
【００５９】
第２の効果は、指紋による認証のため、例えば磁気カードや鍵による場合のように家族間で許可なしで使用されるという問題をなくすことができる。
【００６０】
第３の効果は、磁気カードや鍵また暗証番号の入力が不必要であり、入室や個人金庫２１を解錠するまでの操作が指紋の入力のみに統一され、操作が単純になることである。
【図面の簡単な説明】
【図１】本発明の貸金庫の開閉ドアの構成を表すブロック図である。
【図２】本発明の貸金庫の個人金庫の構成を表すブロック図である。
【図３】本発明の貸金庫の開閉ドアの動作を説明するフローチャートである。
【図４】本発明の貸金庫の個人金庫の動作を説明するフローチャートである。
【図５】本発明の貸金庫使用料の支払い状況を管理するデータベースの内容例である。
【図６】本発明の指紋情報を登録するデータベースの内容例である。
【図７】本発明の貸金庫の開閉ドアの第２の構成を表すブロック図である。
【図８】本発明の貸金庫使用料の支払い状況を管理するデータベースの第２の内容例である。
【図９】従来の貸金庫の開閉ドアの構成を表すブロック図である。
【図１０】従来の貸金庫を金融機関から借用する場合を説明する図である。
【図１１】従来の貸金庫を借用する利用者に金融機関から貸与した磁気カードの内容例である。
【符号の説明】
１    開閉ドア
２    電子錠
３    利用者
４    指紋読み取り装置
５    貸金庫制御装置
６    ＤＢ
７    第１指紋比較器
８    ＤＢ
９    口座
１０    第２指紋比較器
１１    指紋／データ登録装置
１３    スピーカ
１４    ホストコンピュータ
１５    金融機関
１６    ネットワーク
１７    信託銀行
１８    信用金庫
２１    個人金庫
２２    個人金庫電子錠
２３    指紋読み取り装置
２４    個人金庫制御装置
２５    スピーカ
２６    ライン
４１    第１指紋情報
４２    第２指紋情報
５１    利用者識別子
５２    個人金庫ＮＯ
５３    契約期間
５４    使用場所
５５    使用料支払状況
５６    取引金融機関
６１    カード読み取り＆比較装置
６２    磁気カード
７１    鍵
８１    磁気による登録ＮＯ
８２    磁気による契約期間
【図１】
0003644378.tif 000002
【図２】
0003644378.tif 000003
【図３】
0003644378.tif 000004
【図４】
0003644378.tif 000005
【図５】
0003644378.tif 000006
【図６】
0003644378.tif 000007
【図７】
0003644378.tif 000008
【図８】
0003644378.tif 000009
【図９】
0003644378.tif 000010
【図１０】
0003644378.tif 000011
【図１１】
0003644378.tif 000012